(57)【要約】【課題】基地局に適応周波数帯域幅の異なる複数種類の端末を収容し、且つ、基地局のもつ通信リソースを有効に利用できる無線通信システム。【解決手段】基地局の無線周波数帯域をそれぞれ所定数の物理サブキャリアを含む複数のサブバンドに分割しておき、サブバンド毎に局所化されたパーミュテーションパターンを適用して、論理サブキャリアと物理サブキャリアとの間での変調シンボルのパーミュテーションを実行する。これによって、同一のサブバンドに所属するホップポートが、同一サブバンドに所属する物理サブキャリアにマッピングされる。【選択図】図３
2010041581.tif 000002
【特許請求の範囲】
【請求項１】
ＯＦＤＭＡ方式のセルラ無線通信システムにおける基地局と端末との通信方法であって、上記基地局で使用する無線周波数帯域が、それぞれ所定数の物理サブキャリアを含む複数のサブバンドに分割してあり、
上記基地局が、上記複数のサブバンドの中から、上記端末で適応可能な１個又は複数個のサブバンドを選択し、割当てサブバンドとして上記端末に通知するステップと、
上記基地局が、上記端末とデータ通信する時、上記割当てサブバンドの範囲内で、データ通信に使用する１群のサブキャリアを選択し、割当てサブキャリアとして上記端末に通知するステップとを有し、
上記端末と上記基地局が、上記割当てサブバンドの範囲内で、論理サブキャリアと物理サブキャリアとの間での変調シンボルの移し替えを実行することによって、上記割当てサブキャリアを使用したＯＦＤＭＡのデータ送受信を行うこと特徴とする通信方法。
【請求項２】
前記基地局と前記端末が、前記各サブバンドと対応して予め用意された局所化されたパーミュテーションパターンに従って、前記サブキャリア間での変調シンボルの移し替えを行うことを特徴とする請求項１に記載の通信方法。
【請求項３】
前記基地局が、ＯＦＤＭＡ方式のセルラ無線通信システムの下りリンク共有制御チャネルで、前記割当てサブバンドを前記端末に通知することを特徴とする請求項１または請求項２に記載の通信方法。
【請求項４】
前記基地局が、ＯＦＤＭＡ方式のセルラ無線通信システムの報知情報チャネルで送信されるプリアンブルによって、前記割当てサブバンドを前記端末に通知することを特徴とする請求項１または請求項２に記載の通信方法。
【請求項５】
前記論理サブキャリアの帯域が、前記サブバンドと対応した複数のホップポートサブグループに分割され、各ホップポートサブグループは、それぞれ所定数の論理サブキャリアを含む複数のホップポートブロックからなり、
前記基地局と前記端末が、上記論理サブキャリアと前記物理キャリアを階層化された複数ノードからなるチャネルツリーによって管理しており、上記チャネルツリーは、上記論理サブキャリアの帯域に含まれる複数のホップポートブロックと対応付けられた複数のベースノードと、上記ベースノードを二分木構成で階層化する複数の上位ノードとからなり
上記基地局が、上記チャネルツリー内の各ノードに与えられた識別子のうちの１つを指定することによって、前記端末に前記割当てサブキャリアを通知することを特徴とする請求項１〜請求項４の何れかに記載の通信方法。
【請求項６】
前記基地局が、前記無線周波数帯域の帯域幅と前記サブバンドの個数を報知情報として定期的にブロードキャストするステップと、
上記端末が、上記報知情報を受信した後で、自端末の適応周波数帯域幅を上記基地局に通知するステップを有し、
上記基地局が、上記端末から通知された適応周波数帯域幅に応じて、該端末に割当てるべき少なくとも１つのサブバンドを選択し、上記端末に前記割当てサブバンドとして通知することを特徴とする請求項１〜請求項５の何れかに記載の通信方法。
【請求項７】
前記基地局が、ＯＦＤＭＡ方式のセルラ無線通信システムの報知情報チャネルで送信されるプリアンブルによって、前記報知情報をブロードキャストすることを特徴とする請求項６に記載の通信方法。
【請求項８】
前記基地局が、前記サブバンド毎に前記プリアンブルを送信することを特徴とする請求項７に記載の通信方法。
【請求項９】
前記端末が、前記報知情報を受信した後に実行される前記基地局への接続手順において、前記適応周波数帯域幅を上記基地局に通知することを特徴とする請求項６〜請求項８の何れかに記載の通信方法。
【請求項１０】
前記端末が、前記適応周波数帯域幅を示す情報として前記サブバンドの個数を前記基地局に通知することを特徴とする請求項９に記載の通信方法。
【請求項１１】
無線周波数帯域をそれぞれ所定数の物理サブキャリアを含む複数のサブバンドに分割して管理する基地局と、上記基地局に無線で接続される少なくとも１つの端末とからなるＯＦＤＭＡ方式の無線通信システムであって、
上記基地局が、
上記端末から適応周波数帯域幅を通知された時、上記複数のサブバンドの中から、上記適応周波数帯域幅に応じた個数のサブバンドを選択し、割当てサブバンドとして上記端末に通知するサブバンド管理部と、
上記端末とデータ通信する時、上記割当てサブバンドの範囲内で、データ通信に使用する１群のサブキャリアを選択し、割当てサブキャリアとして上記端末に通知するリンク制御部とを備え、
上記各端末が、
上記基地局から受信した信号に含まれる複数の物理サブキャリア上の変調シンボルを複数の論理サブキャリアに移し替える第１パーミュテーション部と、上記第１パーミュテーション部から出力される複数の論理サブキャリア上の変調シンボルをチャネル別の変調シンボルに変換するデマッピング部を含む受信部と、
上記基地局に送信すべき複数チャネルの変調シンボルを複数の論理サブキャリアにマッピングするマッピング部と、上記マッピング部から出力される複数の論理サブキャリア上の変調シンボルを複数の物理キャリアに移し替える第２パーミュテーション部とを含む送信部と、
上記基地局から通知された割当てサブバンドに従って、上記第１パーミュテーション部と上記第２パーミュテーション部における変調シンボルの移し替え範囲を特定するサブバンド管理部と、
基地局とデータ通信する時、上記基地局から通知された割当てサブキャリアに従って、上記デマッピング部におけるデータ用変調シンボルの抽出元となる論理サブキャリア群と、上記マッピング部におけるデータ用変調シンボルのマッピング先となる論理サブキャリア群を特定するノード指定部を備えることを特徴とする無線通信システム。
【請求項１２】
前記端末の前記第１パーミュテーション部と前記第２第１パーミュテーション部が、前記割当てサブキャリアと対応した局所化されたパーミュテーションパターンに従って、前記サブキャリア間でのデータ用変調シンボルの移し替えを実行することを特徴とする請求項１１に記載の無線通信システム。
【請求項１３】
前記基地局が、前記無線周波数帯域の帯域幅と前記サブバンドの個数を報知情報として定期的にブロードキャストする報知情報生成部を有し、
前記端末のサブバンド管理部が、上記報知情報を受信した後で、自端末の適応周波数帯域幅を上記基地局に通知し、
前記基地局のサブバンド管理部が、上記端末から通知された適応周波数帯域幅に応じて、該端末に割当てるべき少なくとも１つのサブバンドを選択し、前記割当てサブバンドとして上記端末に通知することを特徴とする請求項１１に記載の無線通信システム。
【請求項１４】
前記基地局が、前記報知情報生成部で生成された報知情報を含むプリアンブルを生成し、報知情報チャネルで定期的にブロードキャストするためのプリアンブル符号化・変調部を備えたことを特徴とする請求項１３に記載の無線通信システム。
【請求項１５】
前記プリアンブル符号化・変調部が、前記プリアンブルを前記サブバンド毎に生成することを特徴とする請求項１４に記載の無線通信システム。
【請求項１６】
複数の端末と無線で通信するＯＦＤＭＡ方式の基地局であって、
無線周波数帯域をそれぞれ所定数の物理サブキャリアを含む複数のサブバンドに分割して管理し、上記複数の端末のうちの１つから適応周波数帯域幅を通知された時、上記複数のサブバンドの中から、上記適応周波数帯域幅に応じた個数のサブバンドを選択して、割当てサブバンドとして上記端末に通知するサブバンド管理部と、
上記端末とデータ通信する時、上記割当てサブバンドの範囲内で、データ通信に使用する１群のサブキャリアを選択して、割当てサブキャリアとして上記端末に通知するリンク制御部と、
上記端末への送信データから生成された変調シンボル列を上記リンク制御部が選択した割当てサブキャリアにマッピングする送信部と、
上記端末から受信したデータチャネルの変調シンボル列を上記リンク制御部が選択した割当てサブキャリアから抽出する受信部と、
上記送信部と受信部に接続された無線送受信回路とを備えたことを特徴とする基地局。
【請求項１７】
前記受信部が、前記無線送受信回路から入力された受信信号に含まれる複数の物理サブキャリア上の変調シンボルを複数の論理サブキャリアに移し替える第１パーミュテーション部と、上記第１パーミュテーション部から出力される複数の論理サブキャリア上の変調シンボルをチャネル別の変調シンボルに変換するデマッピング部を含み、
前記送信部が、送信信号となる複数チャネルの変調シンボルを複数の論理サブキャリアにマッピングするマッピング部と、上記マッピング部から出力される複数の論理サブキャリア上の変調シンボルを複数の物理キャリアに移し替える第２パーミュテーション部とを含み、
上記第１パーミュテーション部と上記第２パーミュテーション部における変調シンボルの移し替えが、前記サブバンド毎に用意されたパーミュテーションパターンに従って実行されることを特徴とする請求項１６に記載の基地局。
【請求項１８】
前記マッピング部が、前記リンク制御部によって指定された割当てサブキャリアに従って、各端末宛の送信データとなる変調シンボルを論理サブキャリアにマッピングし、
前記デマッピング部が、前記リンク制御部によって指定された割当てサブキャリアに従って、論理サブキャリアから各端末からの受信データとなる変調シンボルを抽出することを特徴とする請求項１６に記載の基地局。
【請求項１９】
前記送信部が、前記リンク制御部で生成された制御情報と、前記サブバンド生成部で選択した割当てサブバンドを示す制御情報とを制御チャネルの変調シンボル列に変換する制御情報符号化・変調部と、前記無線周波数帯域の帯域幅と前記サブバンドの個数を報知情報チャネルの変調シンボル列に変換するプリアンブル符号化・変調部とを備え、
前記マッピング部が、前記端末宛の送信データを示すデータチャネルの変調シンボル列と、上記制御チャネルの変調シンボル列と、上記報知情報チャネルの変調シンボル列を前記論理サブキャリアにマッピングすることを特徴とする請求項１７に記載の基地局。
【請求項２０】
前記プリアンブル符号化・変調部が、前記報知情報チャネルの変調シンボル列を前記サブバンド毎に生成することを特徴とする請求項１９に記載の基地局。
【発明の詳細な説明】
【技術分野】
【０００１】
本発明は、無線通信システムに関し、更に詳しくは、直交周波数分割多重（ＯＦＤＭＡ：Orthogonal Frequency Division Multiple Access）を採用したセルラ無線通信システム、基地局と端末との通信方法、および基地局に関する。
【背景技術】
【０００２】
無線通信システムにおけるユーザ多重化方式として、直交周波数分割多重（ＯＦＤＭＡ）がある。ＯＦＤＭＡ方式のセルラ無線通信システムは、図１に示すように、有線回線によって基地局制御装置（ＢＳＣ）２０に接続された複数の基地局（ＢＳ）１０（１０−１、１０−２、・・・）と、各基地局と無線で交信する複数の端末（ＡＴ：Access Terminal）３０（３０−１、３０−２、・・・）とから構成される。基地局制御装置２０は、有線回線によってネットワークＮＷに接続されている。各端末３０は、通信圏内に位置した基地局１０と無線で接続され、基地局１０と基地局制御装置２０を介して、他の端末、またはネットワークＮＷに接続されたサーバ、その他の装置と通信する。
【０００３】
ＯＦＤＭＡ方式のセルラ無線通信システムでは、端末と基地局との間でのデータ送受信に先立って、基地局から端末に使用サブキャリアを割り当てる必要がある。基地局１０は、予め用意された多数のサブキャリアの中から、各端末に他の端末とは異なる一群のサブキャリアを割り当てることによって、複数の端末による同時アクセスを可能にしている。また、端末毎に割当てサブキャリアの数を調節することにより、スケーラブルな帯域割当てを実現し、更には各端末に無線伝搬路品質が良好なサブキャリアを選択的に割当てることによって、ユーザダイバーシチ効果を得ている。
【０００４】
例えば、基地局１０から端末３０に向かう下りリンクのデータ送信において、基地局１０は、各端末に対して、送信データ量に応じた個数のサブキャリアを割り当てる。割当てサブキャリアを示す制御情報（サブキャリア割当て情報）は、下りデータ送信に先行あるいは並行して、制御情報チャネルで各端末３０に通知される。基地局１０は、端末毎に異なったサブキャリア群を使用して、下りデータを送信する。各端末３０は、制御情報チャネルで受信したサブキャリア割当て情報から、自端末宛のデータ送信に使用されたサブキャリア群を特定し、これらのサブキャリアで自端末宛のデータを受信する。
【０００５】
一方、端末３０から基地局１０に向かう上りリンクのデータ送信では、端末３０は、データ送信に先行して、要求帯域情報となる送信データ量を示すデータ送信要求を基地局１０に送信する。基地局１０は、データ送信要求が示す送信データ量に応じて各端末に一群のサブキャリアを割り当て、サブキャリア割当て情報を制御情報チャネルでデータ送信要求元の端末に通知する。
【０００６】
端末３０は、基地局１０から受信したサブキャリア割当て情報から、自端末で使用すべきサブキャリア群を特定し、これらのサブキャリアで上りデータを送信する。基地局１０は、端末毎に異なったサブキャリア群から、各端末の上りデータを抽出する。このように、ＯＦＤＭＡでは、基地局と端末が、サブキャリアの割当て情報を共有することにより、データの送受信を実現している。
【０００７】
標準化団体３ＧＰＰ２では、ＵＭＢ（Ultra Mobile Broadband）として、上述したＯＦＤＭＡを用いた無線通信システムを規格化している。ＵＭＢにおけるサブキャリアの割当て方法については、例えば、非特許文献１〜７で定義されている。
【０００８】
標準化団体ＩＥＥＥの８０２．２０ワーキンググループでは、ＭＢＷＡ（Mobile Broadband Wireless Access）として、上述したＯＦＤＭＡを用いた無線通信システムを提案している。ＭＢＷＡにおけるサブキャリアの割当て方法については、非特許文献８〜１２で定義されている。
【０００９】
標準化団体３ＧＰＰでは、Ｅ−ＵＴＲＡ（Evolved Universal Terrestrial Radio Access）およびＥ−ＵＴＲＡＮ（Evolved Universal Terrestrial Radio Access Network）として、上述したＯＦＤＭＡを用いた無線通信システムを規格化している。Ｅ−ＵＴＲＡおよびＥ−ＵＴＲＡＮにおけるサブキャリアの割当て方法については、非特許文献１３、１４で定義されている。
【００１０】
基地局と各端末との間で上述したサブキャリア割当て情報を共有するために、ＵＭＢ（Ultra Mobile Broadband）では、基地局から各端末に、下りリンクおよび上りリンクのサブキャリア割当て情報を通知するための情報ブロックとして、ＦＬＡＢ（Forward Link Assignment Block）とＲＬＡＢ（Reverse Link Assignment Block）とを定義している。ＦＬＡＢとＲＬＡＢは、割当てサブキャリアや、割当て期間などのスケジューリング情報を含む。また、ＵＭＢでは、基地局から端末にサブキャリア割当て情報を効率よく通知するために、チャネルツリーの概念を用いている。
【００１１】
図２は、平衡二分木構成のチャネルツリー５０と、従来技術において論理サブキャリア（ホップポート）と物理サブキャリアとの間で実行されるパーミュテーションとの関係を示している。
チャネルツリー５０の各節（ノード）には、チャネルツリーの根から葉に向かって順番に、ノードＩＤとなる通し番号（図２では「０」〜「３０」）が付されている。チャネルツリーに含まれるノードのうち、葉に相当するノード、図２ではノードＩＤ＝１５〜３０のノードを特に「ベースノード」という。これらのベースノードは、１群の論理サブキャリア（ホップポート）と対応付けられている。個々のベースノードは、ブロック５１で示すように、連続した所定個数のホップポートが対応付けられる。
【００１２】
チャネルツリーに含まれるベースノードの個数Ｙは、原則として、ＯＦＤＭの変復調に使用される高速フーリエ変換（ＦＦＴ：Fast Fourier Transform）サイズ「Ｎ＿ＦＦＴ」と、１ベースノード当たりのホップポート数「Ｎ＿ＢＬＯＣＫ」とから決まり、Ｙ＝「Ｎ＿ＦＦＴ」÷「Ｎ＿ＢＬＯＣＫ」となる。ＵＭＢでは、「Ｎ＿ＢＬＯＣＫ」は、例えば、１６をデフォルト値としている。
【００１３】
ＦＦＴサイズ「Ｎ＿ＦＦＴ」は、無線通信システムの周波数帯域幅に応じて決まる。例えば、基地局の周波数帯域幅が５ＭＨｚの無線通信システムでは、Ｎ＿ＦＦＴ＝５１２、１０ＭＨｚの無線通信システムでは、Ｎ＿ＦＦＴ＝１０２４となっている。以下の説明では、Ｎ＿ＢＬＯＣＫ個の連続したホップポートを「ホップポートブロック」と呼び、１ベースノード当たり１つのホップポートブロックが対応付けられるものとする。
【００１４】
チャネルツリー５０の大きさは、ベースノードの個数によって一意に決まる。ベースノード当たりのホップポート数（Ｎ＿ＢＬＯＣＫ）を一定値にすれば、チャネルツリー５０の大きさは、Ｎ＿ＦＦＴあるいは基地局の周波数帯域幅に比例する。チャネルツリーの構成を示す情報は、プリアンブルと呼ばれる同報チャネルで、基地局から全端末に報知される。
【００１５】
基地局１０は、各端末３０に１個または複数のベースノードを指定することによって、端末に要求帯域に応じたサブチャネルを割り当てる。各端末３０は、基地局１０から指定されたベースノードと対応するホップポート（論理サブキャリア）ブロック５１上の変調シンボルを所定のパターンで物理サブキャリア５２に移し替える。ホップポート（論理サブキャリア）５１から物理サブキャリア５２、物理サブキャリア５２からホップポートへのマッピングを「パーミュテーション」５３という。
【００１６】
代表的なパーミュテーションモード（周波数ホッピングモード）として、ＢＲＣＨ（Block Resource Channel）と、ＤＲＣＨ（Distributed Resource Channel）がある。ＢＲＣＨモードでは、連続するＮ＿ＢＬＯＣＫ個のホップポートを連続するＮ＿ＢＬＯＣＫ個の物理サブキャリアにマッピングしておき、時間軸上で連続するｍ個のＯＦＤＭシンボルとＮ＿ＢＬＯＣＫ個の物理サブキャリアを１つのブロックとして、周波数ホッピングが行われる。
【００１７】
一方、ＤＲＣＨモードでは、連続するＮ＿ＢＬＯＣＫ個のホップポートを周波数帯域全体に一定間隔で分散したＮ＿ＢＬＯＣＫ個の物理サブキャリアにマッピングし、ｋシンボル単位で周波数ホッピングが行われる。但し、ＢＲＣＨモードとＤＲＣＨモードとを組み合わせたパーミュテーションを採用することもできる。パーミュテーションによって、各端末は、基地局がベースノードＩＤで指定した１群のホップポートを１群の物理サブキャリアに変換し、これらの物理サブキャリアでデータ（ＯＦＤＭ変調シンボル）を送受信できる。
【００１８】
基地局と各端末が、互いに同一のチャネルツリー構成情報、同一のパーミュテーションパターンを保持していれば、基地局は、チャネルツリー上でベースノードよりも上位レベルにある１つのノードＩＤを指定するだけで、ベースノード複数個分の割当てサブキャリアを各端末に通知することが可能となる。この場合、各端末は、基地局からノードＩＤを指定されたとき、チャネルツリー上で指定ノードＩＤに従属している全てのベースノードが割当てられたものと判断する。基地局は、送信データ量が少ない端末に対しては、チャネルツリー上で葉（ベースノード）に近い下位レベルのノードを指定し、送信データ量の多い端末には、根に近い上位レベルのノードを指定することによって、各端末に要求帯域に見合った量のサブキャリアを割り当てることができる。
【００１９】
例えば、基地局が或る端末にノードＩＤ＝１５を通知すると、この端末には、ノードＩＤ＝１５をもつベースノードと対応したホップポートブロック１個分、すなわちＮ＿ＢＬＯＣＫ個のサブキャリアが割り当てられたことになる。また、基地局が、この端末にノードＩＤ＝３を通知した場合は、ノードＩＤ＝３に従属する全てのベースノード、すなわちノードＩＤ＝１５、１６、１７、１８の４つのベースノードが割り当てられたことになるため、端末は、これらのベースノードと対応するホップポートブロック４個分（Ｎ＿ＢＬＯＣＫ×４）のサブキャリアを使用できる。
【００２０】
【非特許文献１】3GPP2 C.S0084-002-0 Version 2.0  5.5.4.1.1  Procedures for the F-SCCH
【非特許文献２】3GPP2 C.S0084-002-0 Version 2.0  6.5.3  Forward Traffic Channel Addressing
【非特許文献３】3GPP2 C.S0084-002-0 Version 2.0  6.5.5  Active State
【非特許文献４】3GPP2 C.S0084-002-0 Version 2.0  6.5.6  Channel Trees
【非特許文献５】3GPP2 C.S0084-002-0 Version 2.0  8.5.3  Reverse Traffic Channel Addressing
【非特許文献６】3GPP2 C.S0084-002-0 Version 2.0  8.5.5  Active State
【非特許文献７】3GPP2 C.S0084-002-0 Version 2.0  8.5.9  Channel Trees
【非特許文献８】IEEE802.20 C802.20-06-04  7.1.4.1  Channel trees
【非特許文献９】IEEE802.20 C802.20-06-04  7.4.6.3.1  Access network requirements
【非特許文献１０】IEEE802.20 C802.20-06-04  7.4.6.3.2  Access terminal requirements
【非特許文献１１】IEEE802.20 C802.20-06-04  7.5.6.2  Forward traffic channel addressing
【非特許文献１２】IEEE802.20 C802.20-06-04  7.5.6.4  Active state
【非特許文献１３】3GPP TS36.300 V8.3.0  4.2.1  Multiple Access
【非特許文献１４】3GPP TS36.300 V8.3.0  5.1.3  Physical Downlink Control Channel
【発明の開示】
【発明が解決しようとする課題】
【００２１】
上述したチャネルツリーを利用したサブキャリアの割当て方式では、基地局と全ての端末が、互いに同一チャネルツリー情報、同一パーミュテーションパターンを予め共有しておく必要がある。チャネルツリーとパーミュテーションパターンの規模は、無線通信システムで使用される周波数帯域幅によって決まるため、基地局から通知されたノードＩＤに応答して、各端末が、割当てホップポートを他の端末とは異なったサブキャリアにパーミュテーションするためには、全ての端末が、基地局と同じ適応周波数帯域幅をもつことが前提となる。
【００２２】
適応可能な周波数帯域幅が異なる複数種類の端末をＯＦＤＭＡで多重化しようとすると、基地局は、全端末のうちで適応周波数帯域幅が最も狭い端末に合わせてチャネルツリーを構築、あるいは運用する必要がある。この場合、多くの端末が広い周波数帯域に適応できる能力を備えていたとしても、狭い周波数帯域幅をもつ端末に合わせて、基地局で運用できる周波数帯域が限定されるため、結果的に、広い適応周波数帯域幅をもつ端末の機能と基地局の通信リソースに無駄が発生する。また、通信負荷がシステム周波数帯域内の一部の物理サブキャリアに集中するおそれがある。
【００２３】
適応周波数帯域幅が異なる複数種類の端末を同一基地局に収容する一つの方法として、マルチキャリア運用が考えられる。マルチキャリア運用では、基地局がサポートする周波数帯域を複数のキャリア帯域に分割し、キャリア帯域毎に別々に運用する。キャリア帯域幅は、全端末のうちで適応周波数帯域幅が最も狭い端末の周波数帯域幅に合わせておく。この場合、キャリア帯域毎に別々に運用するためには、キャリア帯域毎に別々のチャネルツリーを構成する必要がある。従って、キャリア帯域間の負荷分散が難しくなり、一部の帯域に負荷が集中するという問題が残る。
【００２４】
本発明の目的は、各基地局に適応周波数帯域幅の異なる複数種類の端末を収容し、且つ、基地局のもつ通信リソースを有効に利用できる無線通信システム、基地局と端末との間の通信方法、および基地局を提供することにある。
【課題を解決するための手段】
【００２５】
上記目的を達成するため、本発明では、基地局の無線周波数帯域をそれぞれ所定数の物理サブキャリアを含む複数のサブバンドに分割しておき、サブバンド毎に局所化されたパーミュテーションパターンを適用して、論理サブキャリアと物理サブキャリアとの間での変調シンボルのパーミュテーションを実行する。これによって、同一のサブバンドに所属するホップポートが、同一サブバンドに所属する物理サブキャリアにマッピングされ、異なる複数サブバンドの物理サブキャリアに分散されることはない。
【００２６】
また、本発明において、基地局は、上述したサブバンドと対応付けられた複数のローカルツリーと、これらローカルツリーを平衡二分木構造に統合するグローバルツリーとからなる単一のチャネルツリーを適用して、各端末へのサブバンドの割当てとサブキャリアの割当てを行う。
【００２７】
本発明によるＯＦＤＭＡ方式のセルラ無線通信システムにおける基地局と端末との通信方法は、
上記基地局が、複数のサブバンドの中から、上記端末で適応可能な１個又は複数個のサブバンドを選択し、割当てサブバンドとして上記端末に通知するステップと、
上記基地局が、上記端末とデータ通信する時、上記割当てサブバンドの範囲内で、データ通信に使用する１群のサブキャリアを選択し、割当てサブキャリアとして上記端末に通知するステップとを有し、
上記端末と上記基地局が、上記割当てサブバンドの範囲内で、論理サブキャリアと物理サブキャリアとの間での変調シンボルの移し替えを実行することによって、上記割当てサブキャリアを使用したＯＦＤＭＡのデータ送受信を行うこと特徴とする。
【００２８】
割当てサブバンドは、例えば、ＯＦＤＭＡ方式のセルラ無線通信システムの下りリンク共有制御チャネルで、基地局から端末に通知される。割当てサブバンドは、報知情報チャネルで送信されるプリアンブルによって、端末に通知してもよい。
【００２９】
更に詳述すると、本発明による通信方法は、
上記基地局が、基地局の無線周波数帯域の帯域幅とサブバンドの個数を報知情報として定期的にブロードキャストするステップと、
上記端末が、上記報知情報を受信した後で、自端末の適応周波数帯域幅を上記基地局に通知するステップを有し、
上記基地局が、上記端末から通知された適応周波数帯域幅に応じて、該端末に割当てるべき少なくとも１つのサブバンドを選択し、上記端末に前記割当てサブバンドとして通知することを特徴とする。
【００３０】
上記報知情報は、例えば、ＯＦＤＭＡ方式のセルラ無線通信システムの報知情報チャネルで送信されるプリアンブルによって、基地局からブロードキャストされる。好ましい実施例では、上記プリアンブルがサブバンド毎に送信される。端末の適応周波数帯域幅は、例えば、報知情報を受信した後に端末が実行する基地局への接続手順において、基地局に通知される。
【００３１】
本発明によるＯＦＤＭＡ方式の無線通信システムは、無線周波数帯域をそれぞれ所定数の物理サブキャリアを含む複数のサブバンドに分割して管理する基地局と、上記基地局に無線で接続される少なくとも１つの端末とからなり、
上記基地局が、
上記端末から適応周波数帯域幅を通知された時、上記複数のサブバンドの中から、上記適応周波数帯域幅に応じた個数のサブバンドを選択し、割当てサブバンドとして上記端末に通知するサブバンド管理部と、
上記端末とデータ通信する時、上記割当てサブバンドの範囲内で、データ通信に使用する１群のサブキャリアを選択し、割当てサブキャリアとして上記端末に通知するリンク制御部とを備え、
上記各端末が、
上記基地局から受信した信号に含まれる複数の物理サブキャリア上の変調シンボルを複数の論理サブキャリアに移し替える第１パーミュテーション部と、上記第１パーミュテーション部から出力される複数の論理サブキャリア上の変調シンボルをチャネル別の変調シンボルに変換するデマッピング部を含む受信部と、
上記基地局に送信すべき複数チャネルの変調シンボルを複数の論理サブキャリアにマッピングするマッピング部と、上記マッピング部から出力される複数の論理サブキャリア上の変調シンボルを複数の物理キャリアに移し替える第２パーミュテーション部とを含む送信部と、
上記基地局から通知された割当てサブバンドに従って、上記第１パーミュテーション部と上記第２パーミュテーション部における変調シンボルの移し替え範囲を特定するサブバンド管理部と、
基地局とデータ通信する時、上記基地局から通知された割当てサブキャリアに従って、上記デマッピング部におけるデータ用変調シンボルの抽出元となる論理サブキャリア群と、上記マッピング部におけるデータ用変調シンボルのマッピング先となる論理サブキャリア群を特定するノード指定部を備えることを特徴とする。
【００３２】
ここで、第１パーミュテーション部と第２パーミュテーション部は、割当てサブキャリアと対応した局所化されたパーミュテーションパターンに従って、サブキャリア間でのデータ用変調シンボルの移し替えを実行する。
【００３３】
また、本発明による複数の端末と無線で通信するＯＦＤＭＡ方式の基地局は、
無線周波数帯域をそれぞれ所定数の物理サブキャリアを含む複数のサブバンドに分割して管理し、上記複数の端末のうちの１つから適応周波数帯域幅を通知された時、上記複数のサブバンドの中から、上記適応周波数帯域幅に応じた個数のサブバンドを選択して、割当てサブバンドとして上記端末に通知するサブバンド管理部と、
上記端末とデータ通信する時、上記割当てサブバンドの範囲内で、データ通信に使用する１群のサブキャリアを選択して、割当てサブキャリアとして上記端末に通知するリンク制御部と、
上記端末への送信データから生成された変調シンボル列を上記リンク制御部が選択した割当てサブキャリアにマッピングする送信部と、
上記端末から受信したデータチャネルの変調シンボル列を上記リンク制御部が選択した割当てサブキャリアから抽出する受信部と、
上記送信部と受信部に接続された無線送受信回路とを備えたことを特徴とする。
【００３４】
更に詳述すると、本発明の基地局は、
上記受信部が、上記無線送受信回路から入力された受信信号に含まれる複数の物理サブキャリア上の変調シンボルを複数の論理サブキャリアに移し替える第１パーミュテーション部と、上記第１パーミュテーション部から出力される複数の論理サブキャリア上の変調シンボルをチャネル別の変調シンボルに変換するデマッピング部を含み、
上記送信部が、送信信号となる複数チャネルの変調シンボルを複数の論理サブキャリアにマッピングするマッピング部と、上記マッピング部から出力される複数の論理サブキャリア上の変調シンボルを複数の物理キャリアに移し替える第２パーミュテーション部を含み、
上記第１パーミュテーション部と上記第２パーミュテーション部における変調シンボルの移し替えが、前記サブバンド毎に用意されたパーミュテーションパターンに従って実行されることを特徴とする。
【００３５】
上記マッピング部は、上記リンク制御部によって指定された割当てサブキャリアに従って、各端末宛の送信データとなる変調シンボルを論理サブキャリアにマッピングする。上記デマッピング部は、上記リンク制御部によって指定された割当てサブキャリアに従って、論理サブキャリアから各端末宛からの受信データとなる変調シンボルを抽出する。
【発明の効果】
【００３６】
本発明によれば、適応周波数帯域幅が狭い端末が存在した場合でも、基地局で運用帯域幅を狭める必要がないため、広い周波数帯域幅でのシステム運用が可能となる。また、基地局が、複数サブバンドに負荷を分散できるため、無線リソースを有効に利用できる。
【発明を実施するための最良の形態】
【００３７】
以下、本発明を適用したセルラ無線通信システムについて、図面を参照して詳細に説明する。
図３は、本発明のＯＦＤＭＡセルラ無線通信システムに適用されるチャネルツリー５０、ホップポート５１、物理サブキャリア５２、パーミュテーション５３の関係を示す。
【００３８】
本発明では、チャネルツリー５０が、複数のローカルツリーＬＴ（ＬＴ０、ＬＴ１、ＬＴ２、・・・）と、これらのローカルツリー間を束ねるグローバルツリーＧＴとからなり、チャネルツリー５０内の各ベースノードは、図２で説明した従来技術と同様、Ｎ＿ＢＬＯＣＫ個のホップポートからなる１つのホップポートブロックと対応付けられている。
【００３９】
各ローカルツリーＬＴは、所定個数（図３では４個）のベースノードを含む同一のサイズとなっている。ローカルツリーＬＴの個数がＭ（図３ではＭ＝４）の場合、本発明では、ホップポート５１が、ローカルツリーＬＴと対応するＭ個のホップポートサブグループ５１０、５１１、５１２、・・・に分割される。ここでは、各ホップポートサブグループには、４個のホップポートブロックが含まれる。
【００４０】
図３では、説明を簡単化するために、各ホップポートブロックに含まれるポートの個数（Ｎ＿ＢＬＯＣＫ）を８とし、各ホップポートサブグループを３２（＝８×４）ホップポートで構成している。チャネルツリーに含まれる物理サブキャリアあるいはホップポートの全数は、基地局の運用帯域幅に対応しており、ここでは１２８（＝３２×Ｍ）となる。
【００４１】
本発明の１つの特徴は、物理サブキャリア５２の帯域をホップポートサブグループ（５１０、５１１、５１２、・・・）と同数のＭ個のサブバンドＳＢ０、ＳＢ１、ＳＢ２、・・・に分割し、パーミュテーション５３をローカルツリーＬＴと対応したＭ個のローカルパーミュテーション５３０、５３１、５３２、・・・に分割して、ホップポートサブグループ毎に、１つのサブバンドと１つのローカルパーミュテーションを対応付けたことにある。サブバンドの大きさは、基地局１０に収容される複数種類の端末のうちで、適応周波数帯域が最も狭い端末の周波数帯域に合わせればよい。
【００４２】
図３に示した例では、第ｊローカルパーミュテーション５３ｊ（ｊ＝０〜３）が、第ｊホップポートサブグループ５１ｊ内の全ホップポートを第ｊサブバンドＳＢｊに属した物理キャリアに、ホップポートブロック毎に（Ｎ＿ＢＬＯＣＫ単位で）マッピングしている。同一ホップポートサブグループ５１ｊに所属したホップポートが、異なるサブバンドに分散してマッピングされることはない。
【００４３】
ローカルパーミュテーション５３０、５３１、・・・は、互いに同一のパーミュテーションパターンを有するものであってもよいが、図３でホップポート５１と物理キャリア５２との間に表示された矢印の組み合わせから明らかなように、それぞれが固有のパーミュテーションパターンをもつことができる。ここでは、制御を簡単化するために、第ｊホップポートサブグループ５１ｊが第ｊサブバンドＳＢｊに対応付けられているが、例えば、ホップポートサブグループ５１０をサブバンドＳＢ１、ホップポートサブグループ５１１をサブバンドＳＢ２、・・・ホップポートサブグループ５１３をサブバンドＳＢ０に対応づけて、パーミュテーションを実行することもできる。
【００４４】
以下の説明では、簡単化のために、パーミュテーションは、ＢＲＣＨ（Block Resource Channel）モードのみとし、各ホップポートブロック内で連続する８ホップポート（ホップポートブロック）が、該ホップポートブロックと対応するサブバンド内の連続した８物理サブキャリアにマッピングされるものとする。
【００４５】
本発明では、上述したように、物理サブキャリア５２を複数のサブバンドに分割し、ローカルパーミュテーションによって、ホップポートサブグループからサブバンドにホップポート群をマッピングするようにしているため、基地局から各端末に周波数帯域幅とサブバンドの定義情報を通知する必要がある。
【００４６】
周波数帯域幅とサブバンドの定義情報は、例えば、各端末が基地局との接続を試みるときに最初に受信する同報チャネルの通信フレーム（プリアンブル）で送信できる。また、基地局が、サブバンド毎にプリアンブルを送信することによって、適応周波数帯域幅の異なる複数種類の端末で、周波数帯域幅とサブバンドの定義情報を受信できる。
【００４７】
本発明では、各端末が、適応可能な周波数帯域幅を基地局に通知し、基地局が、端末の適応周波数帯域幅に応じて、該端末が使用すべき１個、または複数のサブバンドを決定し、これを端末に通知する。また、基地局は、端末とのデータ送受信の都度、上記指定したサブバンドの範囲内で要求帯域に相当する空きサブキャリアを選択し、端末に通知する。
【００４８】
図４は、図１に示したＯＦＤＭＡ方式のセルラ無線通信システムに使用される本発明の基地局１０の無線送受信部の１実施例を示す。
基地局１０の無線送受信部は、ベースバンド送信部１１と、下りリンクにおけるデータ通信を制御するための下りリンク制御部１２と、ベースバンド受信部１３と、上りリンクにおけるデータ通信を制御するための上りリンク制御部１４と、サブバンド管理部１５と、報知情報生成部１６と、無線送受信回路１７と、送受信アンテナ１９とからなる。ベースバンド送信部１１とベースバンド受信部１３は、図面では省略された基地局の主制御部に接続されており、ベースバンド送信部１１は、主制御部から出力された送信データをＯＦＤＭＡ信号に変換して無線送受信回路１７に出力し、ベースバンド受信部１３は、無線送受信回路１７から入力されたＯＦＤＭＡ信号を受信データに変換して主制御部に出力する。
【００４９】
ベースバンド送信部１１は、送信データの誤り訂正符号化を行う符号化部１１２（１１２−１〜１１２−ｎ）と、符号化部１１２からの出力信号に対して、ハイブリッド自動再送要求（ＨＡＲＱ：Hybrid Automatic Repeat Request）制御における送信符号語の繰り返し処理（レピテション）を行うレピテション部１１３（１１３−１〜１１３−ｎ）と、レピテション部１１３の出力信号を変調するための変調部１１４（１１４−１〜１１４−ｎ）と、変調部１１４（１１４−１〜１１４−ｎ）から並列的に出力された変調シンボルをホップポートにマッピングするためのホップポートマッピング部１１５と、変調シンボルをホップポートからサブキャリアに移し替えるパーミュテーション部１１６と、サブキャリア信号に対してＯＦＤＭマルチキャリア変調を行う逆高速フーリエ変換（ＩＦＦＴ：Inverse Fast Fourier Transform）部１１７と、無線伝搬路における遅延到来波への耐性を高めるために、ＩＦＦＴ部１１７の出力にＣＰ（Cyclic Prefix）を付加するＣＰ付加部１１８とを含む。パーミュテーション部１１６は、図３で説明したように、各サブバンドと対応した複数のローカルパーミュテーションパターンを記憶しており、これらのローカルパーミュテーションパターンに従って、各ホップポートサブグループの変調シンボルを該ホップポートサブグループと対応するサブバンドに移し替える。
【００５０】
ベースバンド送信部１１は、更に、下りリンク制御部１２および上りリンク制御部１４から供給された制御情報に対して誤り訂正符号化やサブキャリア変調を行う制御情報符号化・変調部１１９と、後述する報知情報を含むプリアンブルに対して誤り訂正符号化やサブキャリア変調を行うプリアンブル符号化・変調部１１０を含む。御情報符号化・変調部１１９から出力された制御チャネルの変調シンボル列と、プリアンブル符号化・変調部１１０から出力された報知チャネルの変調シンボル列は、ホップポートマッピング部１１５に入力され、変調部１１４から出力されたデータチャネルの変調シンボル列と共にホップポートにマッピングされる。
【００５１】
下りリンク制御部１２は、下りリンクにおけるＨＡＲＱ再送制御を行う再送制御部１２１と、下りリンクで使用すべきパケットフォーマット（ＰＦ）を決定するＰＦ決定部１２２と、下りリンクにおけるスケジューリング情報を含むＦＬＡＢ（Forward Link Assignment Block）を生成するＦＬＡＢ生成部１２３と、各端末に使用すべきホップポートを割当てるノードアサイン部１２４を含む。
【００５２】
ベースバンド受信部１３は、無線送受信回路１７から入力された受信信号からＣＰを削除するＣＰ削除部１３１と、ＣＰ削除部１３１の出力信号からＯＦＤＭマルチキャリアを復調する高速フーリエ変換（ＦＦＴ：Fast Fourier Transform）部１３２と、ＦＦＴ部１３２から出力されたサブキャリアの変調シンボルをホップポートに移し替えるパーミュテーション部１３３と、ホップポートから変調シンボルを抽出し、復調部１３５（１３５−１〜１３５−ｎ）と制御情報復調・復号部１３９に出力するホップポートデマッピング部１３４を含む。パーミュテーション部１３３は、各サブバンドと対応した複数のローカルパーミュテーションパターンを記憶しており、各サブバンド（物理キャリア）の変調シンボルを該サブバンドと対応するホップポートサブグループに移し替える。
【００５３】
復調部１３５（１３５−１〜１３５−ｎ）は、ホップポートデマッピング部１３４から出力された変調シンボルを復調して、デレピテション部１３６（１３６−１〜１３６−ｎ）に出力する。デレピテション部１３６は、ＨＡＲＱ再送制御における受信符号語の電力加算処理（デレピテション）を行う。デレピテション部１３６の出力は、復号部１３７（１３７−１〜１３７−ｎ）で誤り訂正復号を行った後、ＣＲＣ（Cyclic Redundancy Check）チェック部１３８（１３８−１〜１３８−ｎ）で誤り検出され、受信データとして主制御部に入力される。制御情報復調・復号部１３９は、ホップポートデマッピング部１３４から出力された制御情報用変調シンボルの復調と誤り訂正復号を行う。
【００５４】
上りリンク制御部１４は、ＣＲＣチェック部１３８の復号結果を判定して、ＡＣＫまたはＮＡＫを生成するＡＣＫ／ＮＡＫ生成部１４１と、上りリンクにおけるＨＡＲＱ再送制御を行う再送制御部１４２と、上りリンクで使用すべきパケットフォーマット（ＰＦ）を決定するＰＦ決定部１４３と、上りリンクにおけるスケジューリング情報を含むＲＬＡＢ（Reverse Link Assignment Block）を生成するＲＬＡＢ生成部１４４と、各端末にホップポートを割当てるノードアサイン部１４５とを含む。
【００５５】
サブバンド管理部１５は、図３で説明したチャネルツリー５０の構成情報、サブバンド定義情報、パーミュテーションパターン、端末毎の対応周波数帯域および割当てサブバンドなどの情報を記憶するためのメモリ１８を備えたプロセッサで構成され、プログラム制御によって、各端末へのサブバンドとホップポート（ノードＩＤ）の割当てを行う。
【００５６】
報知情報生成部１６は、サブバンド管理部１５で生成した制御情報や時間同期情報などの報知情報を含むプリアンブルを生成し、ベースバンド送信部１１のプリアンブル符号化・変調部１１０に出力する。無線送受信回路１７は、ベースバンド送信部１１から出力されたベースバンドＯＦＤＭＡ送信信号をＲＦ（Radio Frequency）信号に変換して、電力増幅した後、送受信アンテナ１９に出力すると共に、送受信アンテナ１９で受信したＲＦ信号をベースバンドＯＦＤＭＡ信号に変換して、ベースバンド受信部１３に出力する。
【００５７】
図５は、図１に示したＯＦＤＭＡ方式の無線通信システムに適用される端末３０の１実施例を示す。
端末３０は、ベースバンド送信部３１と、上りリンクにおけるデータ通信を制御する上りリンク制御部３２と、ベースバンド受信部３３と、下りリンクにおけるデータ通信を制御する下りリンク制御部３４と、サブバンド管理部３５と、報知情報取得部３６と、無線送受信回路３７と、伝搬路推定部３８と、送受信アンテナ３９とからなる。
【００５８】
ベースバンド送信部３１とベースバンド受信部３３は、図面では省略された端末の主制御部に接続されており、ベースバンド送信部３１は、主制御部から出力された送信データをＯＦＤＭＡ信号に変換して無線送受信回路３７に出力し、ベースバンド受信部３３は、無線送受信回路３７から入力されたＯＦＤＭＡ信号を受信データに変換して主制御部に出力する。  
ベースバンド送信部３１は、送信データの誤り訂正符号化を行う符号化部３１２と、符号化部３１２からの出力信号に対して、ＨＡＲＱ再送制御におけるレピテション処理を行うレピテション部３１３と、レピテション部３１３の出力信号を変調するための変調部３１４と、変調部３１４から出力された変調シンボルをホップポートにマッピングするホップポートマッピング部３１５と、変調シンボルをホップポートからサブキャリアに移し替えるパーミュテーション部３１６と、サブキャリア信号に対してＯＦＤＭマルチキャリア変調を行うＩＦＦＴ部３１７と、無線伝搬路における遅延到来波への耐性を高めるためにＩＦＦＴ部３１７の出力信号にＣＰを付加するＣＰ付加部３１８と、制御情報符号化・変調部３１９とを含む。
【００５９】
制御情報符号化・変調部３１９は、上りリンク制御部３２、下りリンク制御部３４、サブバンド管理部３５から入力される各種の制御情報に誤り訂正符号化と変調を行う。制御情報符号化・変調部３１９の出力信号は、ホップポートマッピング部３１５に出力され、変調部３１４から出力された送信データの変調シンボルと共に、ホップポートにマッピングされる。
【００６０】
上りリンク制御部３２は、ベースバンド受信部３３の制御情報復調・復号部３３９から出力されるＡＣＫ／ＮＡＫ信号に応じて、ベースバンド送信部３１のレピテション部３１３が行う上りリンクのＨＡＲＱ再送を制御する再送制御部３２１と、ベースバンド受信部３３の制御情報復調・復号部３３９から上りリンクにおけるスケジューリング情報であるＲＬＡＢを取得するＲＬＡＢ取得部３２２と、ＲＬＡＢ取得部３２２から出力されるＰＦ信号に基づいて、上りリンクで使用すべきパケットフォーマット（ＰＦ）を判定し、ベースバンド送信部３１の符号化部３１２と変調部３１４を制御するＰＦ判定部３２３と、ＲＬＡＢ取得部３２２から出力されるノードＩＤ信号に応じて、割当てホップポートを特定し、ベースバンド送信部３１のホップポートマッピング部３１５に上りリンクで使用すべきホップポートを指定するノード指定部３２４と、伝搬路推定部３８の出力信号に基づいて上りリンクのデータ送信用として出力可能な電力を判定し、ベースバンド送信部３１の制御情報符号化・変調部３１９に出力可能電力を示すＤｅｌｔａを出力するＤｅｌｔａ決定部３２５を含む。
【００６１】
ベースバンド受信部３３は、無線送受信回路３７から入力された受信信号からＣＰを削除するＣＰ削除部３３１と、ＣＰ削除部３３１の出力信号からＯＦＤＭマルチキャリアを復調するＦＦＴ部３３２と、ＦＦＴ部３３２から出力された変調シンボルをサブキャリアからホップポートに移し替えるパーミュテーション部３３３と、ホップポートから変調シンボルを抽出するホップポートデマッピング部３３４と、ホップポートデマッピング部３３４から出力されたデータチャネルの変調シンボルを復調する復調部３３５と、復調部３３５の出力信号に対してＨＡＲＱ再送制御におけるデレピテションを行うデレピテション部３３６と、デレピテション部３３６の出力信号に対して誤り訂正復号を行う復号部３３７と、復号部３３７の復号結果から誤りを検出するＣＲＣチェック部３３８とを含む。ＣＲＣチェック部３３８の出力された受信データは端末の主制御部に入力される。
【００６２】
ベースバンド受信部３３は、更に、ホップポートデマッピング部３３４から出力された制御情報チャネルの変調シンボルをについて、復調と誤り訂正復号を行う制御情報復調・復号部３３９と、ホップポートデマッピング部３３４から出力されたプリアンブルの変調シンボルについて、復調と誤り訂正復号を行うプリアンブル復調・復号部３３０を含む。
【００６３】
下りリンク制御部３４は、ベースバンド受信部３３のＣＲＣチェック部３３８における復号結果に応じてＡＣＫ信号またはＮＡＫ信号を生成し、ベースバンド送信部３１の制御情報符号化・変調部３１９に出力するＡＣＫ／ＮＡＫ生成部３４１と、ＡＣＫ／ＮＡＫ生成部３４１で生成されたＡＣＫ／ＮＡＫ信号に従って、下りリンクにおけるＨＡＲＱ再送制御を行う再送制御部３４２と、ベースバンド受信部３３の制御情報復調・復号部３３９から下りリンクのスケジューリング情報を含むＦＬＡＢを取得するＦＬＡＢ取得部３４３と、ＦＬＡＢ取得部３４３から出力されたＰＦ信号に基づいて、下りリンクで使用すべきパケットフォーマット（ＰＦ）を判定し、ベースバンド受信部３３の復調部３３５と復号部３３７を制御するＰＦ判定部３４４と、ＦＬＡＢ取得部３４３から出力されたノードＩＤ信号から割当てホップポートを特定し、ベースバンド受信部３３のホップポートデマッピング部３３４に下りリンクで使用されたホップポートを指定するノード指定部３４５と、伝搬路推定部３８の出力信号に基づいて下りリンクの無線伝搬路品質を判定し、ベースバンド送信部３１の制御情報符号化・変調部３１９に無線伝搬路品質を示すＣＱＩ（Channel Quality Indicator）を出力するＣＱＩ決定部３４６を含む。
【００６４】
サブバンド管理部３５は、チャネルツリー構成情報、パーミュテーションパターン、サブバンド定義情報、端末が適応可能な周波数帯域、割当てサブバンド情報などを記憶するためのメモリ３８０を備えたプロセッサによって構成される。
【００６５】
本実施例では、ベースバンド送信部３１のパーミュテーション部３１６は、各サブバンドと対応した複数のローカルパーミュテーションパターンを記憶しており、サブバンド管理部３５から、サブバンドＩＤで使用サブキャリア帯を指定された場合、該サブバンドＩＤで特定されたサブバンドとホップポートサブグループとの間で、変調シンボルのローカルパーミュテーションを実行する。端末３０の適応周波数帯域が広い場合、使用サブキャリア帯として複数のサブバンドが指定される。
【００６６】
パーミュテーション部３１６と同様に、ベースバンド受信部３３のパーミュテーション部３３３も、各サブバンドと対応した複数のローカルパーミュテーションパターンを記憶しており、サブバンド管理部３５から、サブバンドＩＤで使用サブキャリア帯を指定された場合、該サブバンドＩＤで特定されたサブバンドとホップポートサブグループとの間で、変調シンボルのローカルパーミュテーションを実行する。
【００６７】
報知情報取得部３６は、ベースバンド受信部３３のプリアンブル復調・復号部３３０が出力するプリアンブル信号から、システム情報、サブバンド定義情報、時間同期情報などの報知情報を取得し、サブバンド管理部３５に出力する。
【００６８】
無線送受信回路３７は、ベースバンド送信部３１から出力されたベースバンドＯＦＤＭＡ送信信号をＲＦ（Radio Frequency）信号に変換して、電力増幅した後、送受信アンテナ３９に出力すると共に、送受信アンテナ３９で受信したＲＦ信号をベースバンドＯＦＤＭＡ信号に変換して、ベースバンド受信部３３に出力する。
【００６９】
図６は、基地局１０のサブバンド管理部１５が参照するメモリ１８の内容を示す。
メモリ１８には、チャネルツリー構成情報テーブル１８０、サブバンド管理テーブル１９０、端末管理テーブル２００、その他のテーブルが形成される。
【００７０】
チャネルツリー構成情報テーブル１８０は、例えば、図７に模式的に示すように、ノードＩＤ１８１と、ステータス１８２と、論理サブキャリア（ホップポートブロックＩＤ）１８３と、サブバンドＩＤ１８４と、端末数１８５との対応関係を示している。
【００７１】
ノードＩＤ１８１は、グローバルツリーのノードＩＤ部１８１Ａと、ローカルツリーのノードＩＤ部１８１Ｂとからなる。ノードＩＤ部１８１Ａと１８１Ｂには、Ｌ０〜Ｌ４で示すように、ノードレベル順に階層的にノードＩＤの値が記憶される。ステータス１８２は、上りリンク、下りリンクの各々において、チャネルツリー内で最下位レベルのノードＩＤ（図７では「１５」〜「３０」）をもつベースノードが空き状態か否かを示す。
【００７２】
論理サブキャリア１８３は、ベースノードと対応するホップポートブロックＩＤ（識別番号）を示し、サブバンドＩＤ１８４は、ホップポートブロックＩＤと対応するサブバンドのＩＤ、例えば、サブバンド番号を示す。また、端末数１８５は、端末の適応可能周波数帯域に応じたサブキャリアとして、サブバンドＩＤ１８４をもつサブバンドが割り当て済みの端末の数を示している。
【００７３】
ここに例示したチャネルツリー構成情報テーブル１８０は、図３に示したチャネルツリー５０、ホップポート５１、物理サブキャリア５２と対応しており、１つのサブバンドブロックＩＤが、４個のベースノードと対応している。基地局１０のサブバンド管理部１５は、各端末３０に使用サブバンドを割当てる時、端末数１８５を参照して、端末数１８５ができるだけ均等になるように、端末の適応可能周波数帯域に対応した個数のサブバンドを検索する。複数サブバンド分の適応可能周波数帯域をもつ端末に対しては、サブバンドＩＤが連続する複数個のサブバンドが割り当てられる。端末数１８５は、基地局への端末の接続（サブバンド割当て）によって増加し、端末の切断（サブバンド解放）によって減少する。
【００７４】
本発明の好ましい実施例では、基地局のホップポートマッピング部１１５とホップポートデマッピング部１３４、各端末３０のホップポートマッピング部３１５とホップポートデマッピング部３３４が、上記チャネルツリー構成情報テーブル１８０におけるノードＩＤ１８１と論理サブキャリア（ホップポートブロックＩＤ）１８３の関係をチャネルツリー情報として記憶している。この構成によれば、ホップポートマッピング部とホップポートデマッピング部は、ノードアサイン部またはノード指定部から上位ノードＩＤを指定されたとき、該上位ノードＩＤを自分で複数のベースノードＩＤに変換して、変調シンボルを出力すべきホップポート群、または変調シンボルを抽出すべきホップポート群を特定できる。
【００７５】
図８は、サブバンド管理テーブル１９０の構成例を示す。
サブバンド管理テーブル１９０は、サブバンドＩＤ１９１と、サブバンドＩＤ１９１をもつサブバンドに含まれる物理サブキャリア１９２と、各サブバンドで使用すべきローカルパーミュテーションパターン１９３との対応関係を示す複数のテーブルエントリからなる。但し、ローカルパーミュテーションパターン１９３の実体をメモリ１８の別領域に保存しておき、サブバンド管理テーブル１９０には、サブバンドＩＤ１９１と対応するローカルパーミュテーションＩＤを記憶するようにしてもよい。
【００７６】
図９は、端末管理テーブル２００の構成例を示す。
端末管理テーブル２００は、端末ＩＤ２０１をもつ複数のテーブルエントリからなる。各テーブルエントリは、端末ＩＤ２０１をもつ端末の適応周波数帯域幅２０２と、割当てサブバンド２０３と、割当てノードＩＤ２０４を示す。適応周波数帯域２０２には、各端末の適応周波数帯域幅に相当するサブバンド個数が記憶される。割当てサブバンド２０３と割当てノードＩＤ２０４には、基地局３０のサブバンド管理部１５が各端末に割当てたサブバンドＩＤとノードＩＤが記憶される。以下の実施例では、サブバンドＩＤ２０３としてサブバンド番号（０、１、２、３、・・・）を使用するが、情報量を少なくするために、チャネルツリーのノードＩＤを使用してもよい。
【００７７】
基地局１０のサブバンド管理部１５は、後述するように、新たな端末３０を基地局に接続する時、端末３０から通知された適応周波数帯域幅に相当する１個または複数個のサブバンドを割り当て、割り当てたサブバンドのＩＤを端末３０に通知すると共に、端末管理テーブル２００に割当てサブバンド２０３として記憶する。
【００７８】
サブバンド管理部１５は、その後に端末３０との間で実行されるデータ通信の都度、チャネルツリー情報テーブル１８０から、割当てサブバンド２０３と対応するノードＩＤ群のうちで、ステータス１８２が空き状態にあるノードＩＤを検索する。データ通信に必要となる周波数帯域（以下、要求帯域という）が、１個のホップポートブロックで間に合う場合、サブバンド管理部１５は、空きベースノードと対応するレベルＬ４のノードＩＤ（ベースノードＩＤ）を指定することによって、端末にデータ通信用サブキャリアを割当てることができる。
【００７９】
要求帯域が複数個分のホップポートブロックに相当する場合、サブバンド管理部１５は、連続する複数個の空きベースノードの頂点となる上位レベルのノードＩＤを指定する。例えば、要求帯域がホップポートブロック２個分に相当する場合は、レベルＬ３のノードＩＤが指定され、ホップポートブロック４個分に相当する場合は、レベルＬ２のノードＩＤが指定される。端末に割当て済みとなったベースノードのステータス１８２は、空き状態から使用状態に書き替えられ、データ送受信の終了時に空き状態に書き替えられる。
【００８０】
図１０は、各端末３０のサブバンド管理部３５が管理するメモリ３８０の内容を示す。
メモリ３８０には、例えば、端末の適応周波数帯域幅３８１、チャンネルツリー構成情報３８２、パーミュテーションパターンテーブル３８３、割当てサブバンドＩＤ（上り／下りリンク）３８４、割当てノードＩＤ（上り／下りリンク）３８５、サブバンドサイズ３８６、その他の情報３８７が記憶される。メモリ３８０の内容は、上りリンク制御部３２のノード指定部３２４と、下りリンク制御部３４のノード指定部３４５からも参照される。
【００８１】
図１１は、本発明のＯＦＤＭＡ無線通信システムにおいて、データ通信に先立って、基地局１０と端末３０との間の実行されるサブバンド情報の交信シーケンスを示す。
基地局１０のサブバンド管理部１５は、基地局１０の運用開始時に、無線周波数帯域（物理サブキャリア５２の帯域）を複数のサブバンド（ＳＢ０、ＳＢ１、ＳＢ２、・・・）に分割する。サブバンドの大きさ（帯域幅）は、システムがサポートする複数種類の端末のうちで適応周波数帯域が最も狭い端末の帯域幅とする。但し、サブバンドの大きさは、無線通信システムの運用ポリシーによって予め各基地局に設定された固定値としても良いし、無線通信システム運用中に基地局に収容される端末の状況に応じて可変にしても良い。後者の場合、基地局との接続時に各端末が基地局に通知する端末の適応可能周波数帯域幅に応じて、サブバンドサイズが適正化される。
【００８２】
基地局１０は、端末３０に報知情報を送信するためのプリアンブルを使用して、基地局が使用する周波数帯域幅（Ｎ＿ＦＦＴ）と、サブバンド定義情報を端末３０に送信する（ＳＱ０１）。プリアンブルは、無線通信システムや各基地局の設定情報を端末に報知するために基地局から周期的に送信される共通チャネルの信号であり、基地局１０の通信圏内に位置した全ての端末で受信される。プリアンブルのフォーマットについては、図１２を参照して後で詳述する。
【００８３】
本実施例では、プリアンブルは、図３で説明したサブバンド（ＳＢ０、ＳＢ１、ＳＢ２、・・・）別に送信されるものとする。また、サブバンド定義情報として、周波数帯域幅（Ｎ＿ＦＦＴ）内に形成されたサブバンドの個数Ｍが使用される。この場合、各端末は、周波数帯域幅（Ｎ＿ＦＦＴ）とサブバンド数Ｎからサブバンドのサイズを計算できる。
【００８４】
端末３０は、基地局から報知された周波数帯域幅と、算出したサブバンドサイズをメモリ３８０に記憶しておき、基地局とのデータ通信開始時に実行される初期パラメータ交換（Configuration）において、予めメモリ３８０に記憶してある端末の適応周波数帯域幅を基地局に通知する（ＳＱ０２）。但し、各端末から基地局への適応周波数帯域幅の通知は、初期パラメータ交換とは独立した別の専用の上りリンク制御チャネルで行うようにしても良い。本実施例では、端末３０から基地局１０に通知される適応周波数帯域幅は、パーミュテーション可能なサブバンドの個数で表される。
【００８５】
基地局１０は、端末から通知された適応周波数帯域幅を端末管理テーブルに適応周波数帯域幅２０２として記憶しておき、該適応周波数帯域幅に応じて、各端末で使用すべきサブバンド２０３を決定し、これを端末に通知する（ＳＱ０３）。端末で使用すべきサブバンドは、サブバンド番号によって指定され、例えば、下りリンク制御チャネルＦ−ＳＣＣＨ（Forward Link Shared Control Channel）で各端末３０に通知される。端末３０が複数サブバンド分の適応周波数帯域幅をもっていた場合、この端末で使用すべきサブバンドは、連続した複数個のサブバンド番号で指定される。端末で使用すべきサブバンドは、サブバンド番号の代わりに、チャネルツリー上のノードＩＤで指定することもできる。
【００８６】
以下、図４、図５を参照して、シーケンスＳＱ０１〜ＳＱ０３における基地局１０と端末３０の動作を具体的に説明する。
シーケンスＳＱ０１において、基地局１０のサブバンド管理部１５は、基地局における無線周波数帯域幅とサブバンド定義情報を図４に示す報知情報生成部１６に送信する。これらの情報は、報知情報生成部１６によって、ベースバンド送信部１１のプリアンブル符号化・変調部１１０に渡される。プリアンブル符号化・変調部１１０は、周波数帯域幅とサブバンド定義情報を含むプリアンブル信号に誤り訂正符号化と変調処理を行った後、サブバンド別のプリアンブル変調シンボル列としてホップポートマッピング部１１５に出力する。
【００８７】
プリアンブルの変調シンボル列は、ホップポートマッピング部１１５で各ホップポートサブグループにマッピングした後、パーミュテーション部１１６で各サブバンドに移し替えられる。サブバンドのプリアンブル変調シンボルは、ＩＦＦＴ部１１７で逆高速フーリエ変換した後、ＣＰ付加部１１８に入力される。ＣＰ付加部１１８でＣＰが付加されたプリアンブル信号は、無線送受信回路１７でＲＦ信号への変換（アップコンバート）と電力増幅を受けた後、アンテナ１９から送信される。
【００８８】
上記プリアンブル信号は、端末３０のアンテナ３９で受信され、無線送受信回路３７でベースバンド信号にダウンコンバートした後、ＣＰ削除部３３１でＣＰシンボルが削除され、ＦＦＴ部３８２でフーリエ変換して、パーミュテーション部３３３に入力される。パーミュテーション部３３３は、サブキャリアに含まれるプリアンブル変調シンボルをホップポートに移し替えて、ホップポートデマッピング部３３４に出力する。適応周波数帯域が最も狭い端末の場合、パーミュテーション部３３３は、受信可能な１つのサブバンドのプリアンブルを１つのホップポートサブグループに移し替える。適応周波数帯域が広い端末の場合、パーミュテーション部３３３は、受信可能な複数のサブバンドで、プリアンブルを対応するホップポートサブグループに移し替える。
【００８９】
ホップポートデマッピング部３３４は、特定のホップポートサブグループで受信したプリアンブル変調シンボルをプリアンブル復調・復号部３３０に出力する。プリアンブル復調・復号部３３０は、プリアンブル変調シンボルを復調し、誤り訂正復号の処理を行い、プリアンブルから抽出した報知情報を報知情報取得部３６に出力する。報知情報取得部３６は、受信した報知情報から基地局の周波数帯域幅とサブバンド定義情報（サブバンド数）とを抽出し、サブバンド管理部３５に渡す。
【００９０】
図１２は、基地局１０から各端末３０に送信されるプリアンブルのフォーマットの１例を示す。
プリアンブルの長さは、８ＯＦＤＭシンボルとなっている。ここで、シンボル番号０の期間はＦ−ＰＢＣＣＨ（Forward Link Primary Broadcast Channel）４１、シンボル番号１〜４の期間はＦ−ＳＢＣＣＨ（Forward Link Secondary Broadcast Channel）４２、シンボル番号５の期間はＴＤＭ（Time Division Multiplexing）１チャネル４３、シンボル番号６の期間はＴＤＭ２チャネル４４、シンボル番号７の期間はＴＤＭ３チャネル４５となっている。
【００９１】
ＴＤＭ１チャネル４３では、周波数帯域幅を示すＮ＿ＦＦＴサイズなどのパラメータと、ＯＦＤＭに関係するＣＰ長などのパラメータが送信される。ＴＤＭ２チャネル４４では、基地局ＩＤが送信され、ＴＤＭ３チャネル４５では、基地局間同期に関する情報や、プリアンブル送信帯域に関する情報が送信される。Ｆ−ＰＢＣＣＨ４１では、基地局間に共通するパラメータを含む情報ブロック（ＳｙｓｔｅｍＩｎｆｏブロック）が送信され、Ｆ−ＳＢＣＣＨ４２では、各基地局に固有のパラメータを含む情報ブロックが送信される。サブバンド定義情報は、Ｆ−ＰＢＣＣＨ４１でＳｙｓｔｅｍＩｎｆｏブロックの一部として送信される。
【００９２】
図１３は、プリアンブルのＦ−ＰＢＣＣＨ４１で送信されるＳｙｓｔｅｍＩｎｆｏブロック４１０のフォーマットの１例を示す。ＳｙｓｔｅｍＩｎｆｏブロック４１０は、フィールド４１０１〜４１１１からなる。
【００９３】
IPSI（Initial Protocol Set Identifier）フィールド４１０１〜４１０４は、基地局無線プロトコルと端末無線プロトコルと間の仮想的な経路（Route）を設定するために使用される。SystemTimeLSBフィールド４１０５は、基地局が保持する時刻情報、TotalNumSubcarriersフィールド４１０６は、全サブキャリア数、NumGuardSubcarriersフィールド４１０７は、ガードサブキャリア数を示す。NumShortChannelIDフィールド４１０８は、周波数の運用方針に基づいて送信されるビーコンの関連情報を示す。
FLReservedInterlacesフィールド４１０９は、ブロードキャスト・マルチキャストサービス用に予約される時間スロット、NumFLReservedSubzonesフィールド４１１０は、ブロードキャスト・マルチキャストサービス用に予約される周波数スロットを表す。NumSubbandPartitionsフィールド４１１１は、サブバンド定義情報（本実施例では、サブバンド数）を表す。
【００９４】
基地局は、プリアンブルのＦ−ＰＢＣＣＨに含まれるNumSubbandPartitionsフィールド４１１１で、各端末にサブバンド定義情報、例えば、サブバンド数を通知する。
端末３０の報知情報取得部３６は、プリアンブルで受信した報知情報のうち、ＴＤＭ１チャネル４３で受信したＮ＿ＦＦＴと、Ｆ−ＰＢＣＣＨ４１で受信したサブバンド数をサブバンド管理部３５に渡す。サブバンド管理部３５は、Ｎ＿ＦＦＴをサブバンド数で割ることによって、サブバンドのサイズ（サブキャリア数）を算出し、メモリ３８０にサブバンドサイズ３８６として記憶する。
【００９５】
端末３０のサブバンド管理部３５は、基地局１０との間で通信開始時に行なわれる初期パラメータ交換手順（シーケンスＳＱ０２）において、メモリ３８０から読み出した適応周波数帯域幅３８１を制御情報符号化・変調部３１９に出力する。上記適応周波数帯域幅は、制御情報符号化・変調部３１９で誤り訂正符号化と変調処理された後、ホップポートマッピング部３１５で所定のホップポートにマッピングされ、パーミュテーション部３１６でサブキャリアに移し替えられる。サブキャリア上の適応周波数帯域幅情報は、ＩＦＦＴ部３１７でＯＦＤＭマルチキャリア変調され、ＣＰ付加部３１８でＣＰを付加した後、ＯＦＤＭ信号として無線送受信回路３７に出力され、アンテナ３９から基地局１０に送信される。
【００９６】
端末３０からの送信信号は、基地局１０のアンテナ１９で受信され、無線送受信回路１７でベースバンドＯＦＤＭ信号に変換した後、ベースバンド受信部１３のＣＰ削除部１３９に入力される。受信変調シンボルは、ＣＰ削除部１３９でＣＰシンボルを削除し、ＦＦＴ部１３２で高速フーリエ変換し、パーミュテーション部１３３で物理サブキャリアからホップポートに移し替えた後、ホップポートデマッピング部１３４に入力される。ホップポートデマッピング１３４は、受信した変調シンボルの内、制御情報用変調シンボルは制御情報復調・復号部１３９に、ユーザデータ用変調シンボルは復調部１３５（１３５−１〜１３５−ｎ）に出力する。
【００９７】
制御情報復調・復号部１３９は、ホップポートデマッピング１３４から入力された変調シンボルを復調、誤り訂正復号した後、受信制御情報を解析し、制御情報に応じて、図４に示すように、下りリンク制御部１２の再送制御部１２１、ＰＦ決定部１２２、上りリンク制御部１４のＰＦ決定部１４３、ノードアサイン部１４５を制御する。端末３０から受信した適応周波数帯域幅は、端末ＩＤと共に、制御情報復調・復号部１３９からサブバンド管理部１５に渡される。
【００９８】
サブバンド管理部１５は、端末３０の端末ＩＤと適応周波数帯域幅を受信すると、メモリ１８の端末管理テーブル２００に、新たな端末ＩＤ２０１と適応周波数帯域幅２０２を示す新たなテーブルエントリを追加した後、チャネルツリー構成情報テーブル１８０の端末数１８５を参照して、端末３０の適応周波数帯域幅に応じたサブバンドＩＤ（サブバンド番号）を選択して、対応する端末数１８５を更新する。
【００９９】
サブバンド管理部１５が選択したサブバンドＩＤは、例えば、下りリンク共用制御チャネルＦ−ＳＣＣＨ（Forward Link Shared Control Channel）で、図１１のシーケンスＳＱ０３に示したサブバンド情報として、端末３０に通知される。
【０１００】
具体的に言うと、サブバンド管理部１５が選択したサブバンドＩＤ（サブバンド番号）は、ベースバンド送信部１１の制御情報符号化・変調部１１９に入力される。制御情報符号化・変調部１１９は、下りリンク制御部１２のＦＬＡＢ生成部１２３で生成されたＦＬＡＢ（Forward Link Assignment Block）、上りリンク制御部１４のＲＬＡＢ生成部１４４で生成されたＲＬＡＢ（Reverse Link Assignment Block）、ＡＣＫ／ＮＡＫ生成部１４１で生成されたＡＣＫ／ＮＡＫ信号を送信するためのＦ−ＳＣＣＨを生成している。
【０１０１】
サブバンド管理部１５が選択したサブバンドＩＤは、制御情報符号化・変調部１１９において、Ｆ−ＳＣＣＨで送信される制御情報の一部として、誤り訂正符号化と変調処理され、下り共通制御信号用の変調シンボルとしてホップポートマッピング部１１５に入力される。Ｆ−ＳＣＣＨの変調シンボルは、ホップポートマッピング部１１５で所定のホップポートにマッピングされ、パーミュテーション部１１６でサブキャリアに移し替えた後、ＩＦＦＴ部１１７とＣＰ付加部１１８で、ＯＦＤＭ信号フォーマットに変換され、無線送受信回路１７でＲＦ信号に変換して、アンテナ１９から端末３０に送信される。
【０１０２】
基地局からＦ−ＳＣＣＨで送信された制御信号は、端末３０のアンテナ３７で受信され、無線送受信回路３７からベースバンド受信部３３に入力される。上記制御信号は、ベースバンド受信部３３のＣＰ削除部３３１、ＦＦＴ部３３２、パーミュテーション部３３３を経て、ホップポートデマッピング部３３４に入力される。ホップポートデマッピング部３３４は、Ｆ−ＳＣＣＨで受信した制御信号用の変調シンボルを制御情報復調・復号部３３９に出力する。
【０１０３】
制御情報復調・復号部３３９は、ホップポートデマッピング部３３４から受信した変調シンボルを復調、誤り訂正復号した後、受信した制御情報を解析し、ＲＬＡＢは上りリンク制御部３２のＲＬＡＢ取得部３２２に、ＡＣＫ／ＮＡＫ信号は上りリンク制御部３２の再送制御部３２１に、ＦＬＡＢは下りリンク制御部３４のＦＬＡＢ取得部３４３に出力し、サブバンド情報は、サブバンド管理部３５に出力する。サブバンド管理部３５は、基地局１０からサブバンド情報として受信したサブバンドＩＤ（サブバンド番号）をメモリ３８０に割り当てサブバンドＩＤ３８４として記憶すると共に、これをパーミュテーション部３１６と３３３に通知する。
【０１０４】
ここでは、基地局１０が、下り制御チャネルＦ−ＳＣＣＨを使って、端末３０にサブバンドＩＤを通知したが、サブバンドＩＤは、サブバンド定義情報の通知と同様、プリアンブルのＦ−ＰＢＣＣＨ４１を使って送信しても良い。また、プリアンブルを使って各端末にサブバンドＩＤを通知する場合、Ｆ−ＰＢＣＣＨ４１の代わりに、Ｆ−ＳＢＣＣＨ４２を使ってもよい。プリアンブルを用いてサブバンドＩＤを通知する場合、図１３のＳｙｓｔｅｍＩｎｆｏブロックに新たなフィールドを追加するか、図１４のＱｕｉｃｋＣｈａｎｎｅｌＩｎｆｏブロックのSubbandIndicationフィールド４２１６を使用すればよい。但し、プリアンブルは、全端末に同一の情報を報知するためのものであるから、プリアンブルでサブバンドＩＤを通知する場合は、例えば、端末３０の適応周波数帯域幅に応じて一意にサブバンドＩＤを指定するなどの方法を採用する。
【０１０５】
図１４は、Ｆ−ＳＢＣＣＨ４２で送信されるＱｕｉｃｋＣｈａｎｎｅｌＩｎｆｏブロック４２０のフォーマットを示す。ＱｕｉｃｋＣｈａｎｎｅｌＩｎｆｏブロック４２０は、複数のフィールド４２０１〜４２１６からなる。
【０１０６】
CPICHHoppingModeフィールド４２０１とCommonPilotSpacingフィールド４２１４では、参照信号（パイロット）の送信方法に関する情報が送信される。NumEffectiveAntennasフィールド４２０２とFLNumSDMADimensionsフィールド４２１２では、ＭＩＭＯ（Multiple-Input Multiple-Output）やＳＤＭＡ（Space Division Multiple Access）など、空間処理を利用した通信速度の向上機能に関する情報が送信される。
【０１０７】
FLSubzoneSizeフィールド４２０３、ResourceChannelMuxModeフィールド４２０４、NumDRCHSubzonesフィールド４２０５、BRCHSubzoneCyclingEnabledフィールド４２０６では、ホップポートのマッピング方法やサブキャリアパーミュテーション方法に関する情報が送信される。UseDRCHforFLCSフィールド４２０７、NumCommonSegmentHopPortBlockフィールド４２０８、NumLABSegmentsフィールド４２０９、MinSCCHResourceIndexフィールド４２１０、ModSymbolsPerQPSKLABフィールド４２１３では、下りリンク制御チャネルＦ−ＳＣＣＨに関する情報が送信される。SinglePAForMultipleChannelBandフィールド４２１１では、ビーコン信号の送信に関する情報、EnableExpandedQPCHフィールド４２１５では、端末呼び出し（ページング）に関する情報が送信される。
サブバンドＩＤは、SubbandIndicationフィールド４２１６で送信できる。
【０１０８】
ここで、端末３０が行う基地局との初期接続動作について、簡単に説明する。
端末３０は、接続先となる基地局１０を選択するために、各基地局１０が送信しているプリアンブルをサーチする。プリアンブルのサーチに成功すると、端末３０は、該プリアンブルで同期を確保し、システム情報を取得する。尚、端末３０は、最初に検出したプリアンブルと対応する単一のサブバンドを使って、基地局との通信を開始すればよい。
【０１０９】
基地局に接続した端末３０は、基地局から、前述したＦ−ＳＣＣＨやプリアンブルを通して割当てサブバンドＩＤを受信し、適応可能周波数帯域幅に応じた個数のサブバンドで、基地局とデータを送受信する。端末３０が使用するサブバンドは、基地局との接続が切断されるまで固定されていても良いが、例えば、キャリア間ハンドオフの発生の都度、切り替えるようにしても良い。この場合、基地局は、サブバンド切替えの都度、Ｆ−ＳＣＣＨやプリアンブルで、端末３０に新たなサブバンドＩＤを通知する。
【０１１０】
図１５は、適応可能周波数帯域が異なる３種類の端末（ＡＴ１、ＡＴ２、ＡＴ３）に対するサブバンドＩＤの割当て結果の１例を示す。
ここでは、物理サブキャリア５２が、４個のサブバンドＳＢ０〜ＳＢ３に分割されており、端末ＡＴ１には、１個のサブバンドＳＢ０（サブバンドＩＤ＝０）、端末ＡＴ２には、２個のサブバンドＳＢ２、ＳＢ３（サブバンドＩＤ＝２、３）、端末ＡＴ３には、４個のサブバンドＳＢ０〜ＳＢ３（サブバンドＩＤ＝０、１、２、３）が割り当てられた状態を示している。
【０１１１】
本発明のセルラ無線通信システムでは、各端末３０は、基地局１０がサブバンドＩＤで指定したサブバンドの範囲内で、その後に基地局１０とデータを送受信する。実際のデータ送受信には、サブバンドＩＤで指定されたサブバンドの範囲内で、基地局１０がノードＩＤで指定したホップポートブロック群と対応するサブキャリア群が使用される。
上りリンクと下りリンクでは、使用サブバンドや、割り当てノードＩＤは、独立に選択可能である。
【０１１２】
本発明のセルラ無線通信システムでは、基地局１０から端末３０に上述したサブバンド情報を通知した後で、次の手順でデータ通信が実行される。
図１６は、基地局１０から端末３０に向かう下りリンクにおけるデータ通信の１例を示すシーケンス図である。
【０１１３】
基地局１０は、下りリンクでのデータ送信に必要となる帯域幅（下り要求帯域）に応じて、空き状態にある１個または複数個のホップポートブロック（論理サブキャリア）を選択し、これらのホップポートブロックと対応するノードＩＤを示すＦＬＡＢ（Forward Link Assignment Block）を端末３０に送信する（ＳＱ１０１）。下り要求帯域が複数個分のホップポートブロックに相当する場合、ＦＬＡＢには、チャネルツリー上でこれらの複数のホップポートブロックの頂点に位置する上位ノードのＩＤが設定される。
【０１１４】
端末３０に通知すべきノードＩＤの選択は、下りリンク制御部１２のノードアサイン部１２４によって行われる。ノードアサイン部１２４には、端末３０へのデータ送信の都度、主制御部から端末ＩＤと下り要求帯域が通知される。ノードアサイン部１２４は、メモリ１８の端末管理テーブル２００から、端末ＩＤと対応する割当てサブバンド２０３を検索し、チャネルツリー構成情報テーブル１８０が示す上記割当てサブバンド２０３と対応する論理サブキャリア（ホップポートブロックＩＤ）の中から、下りリンクで要求帯域に見合った空き状態の論理サブキャリアを選択し、端末に通知すべきノードＩＤを決定して、ＦＬＡＢ生成部１２３に通知する。この後、ノードアサイン部１２４は、チャネルツリー構成情報テーブル１８０において、上記選択された論理サブキャリアの下りリンクステータス１８２を使用状態に書き換え、上記ノードＩＤをホップポートマッピング部１１５に通知する。
【０１１５】
ＦＬＡＢ生成部１２３は、ノードアサイン部１２４が決定したノードＩＤを含むＦＬＡＢを生成し、制御情報符号化・変調部１１９に出力する。制御情報符号化・変調部１１９は、上記ＦＬＡＢを符号化し、Ｆ−ＳＣＣＨ（Forward Link Shared Control Channel）の送信信号としてホップポートマッピング部１１５に出力する。これによって、ノードＩＤを含むＦＬＡＢが、Ｆ−ＳＣＣＨ（Forward Link Shared Control Channel）で端末３０に送信される。この後で、端末３０宛ての下りデータが、変調部１１４からホップポートマッピング部１１５に入力される。端末３０宛ての下りデータは、ノードアサイン部１２４から通知されたノードＩＤと対応するサブキャリアにマッピングされて、下りリンクデータチャネルＦ−ＤＣＨ（Forward Link Data Channel）で送信される。
【０１１６】
ここでは、ホップポートマッピング部１１５が、チャネルツリー情報を保持しており、ノードアサイン部１２４からノードＩＤを通知された時、通知されたノードＩＤをチャネルツリー情報に従って複数のベースノードＩＤに変換する機能を備えた場合を想定している。もし、ホップポートマッピング部１１５がチャネルツリー情報を保持していない場合は、ノードアサイン部１２４が、メモリ１８のチャネルツリー構成情報テーブル１８０で、上記上位ノードＩＤに従属するベースノードＩＤを特定し、これらのベースノードＩＤをホップポートマッピング部１１５に通知するようにすればよい。
【０１１７】
基地局１０からＦ−ＳＣＣＨで送信されたＦＬＡＢと、Ｆ−ＤＣＨで送信された下りデータは、端末３０で受信され、無線送受信回路３７からベースバンド受信部３３に入力される。Ｆ−ＳＣＣＨで送信されたＦＬＡＢは、ベースバンド受信部３３のホップポートデマッピング部３３４から制御情報復調・復号部３３９に渡され、制御情報復調・復号部３３９から、下りリンク制御部３４のＦＬＡＢ取得部３４３に入力される。
【０１１８】
ＦＬＡＢ取得部３４３は、受信したＦＬＡＢからノードＩＤを抽出し、ノードＩＤをノード指定部３４５に通知する。ノード指定部３４５は、上記ノードＩＤをホップポートデマッピング部３３４に通知する。ここでは、ホップポートデマッピング部３３４が、チャネルツリー情報を保持しており、ノード指定部３４５からノードＩＤを通知された時、通知されたノードＩＤをチャネルツリー情報に従って複数のベースノードＩＤに変換し、これらのベースノードＩＤに対応するホップポートブロックで受信したデータを復調部３３５に出力する場合を想定している。もし、ホップポートデマッピング部３３４がチャネルツリー情報を保持していない場合は、ノード指定部３４５が、メモリ３８０に保持されたチャネルツリー構成情報に従って、ＦＬＡＢから抽出したノードＩＤをベースノードＩＤに変換し、これらのベースノードＩＤをホップポートデマッピング部３３４に通知するようにすればよい。
【０１１９】
図５に示した端末３０には、ＨＡＲＱ（Hybrid Automatic Repeat Request）による再送制御が適用されている。復調部３３５、デレピテション部３３６、復号部３３７で処理された受信データのＣＲＣ判定の結果、受信データに誤りがあれば、ＡＣＫ／ＮＡＫ生成部３４１がＮＡＫ（Negative Acknowledgement）を生成し、受信データが正しければ、ＡＣＫ／ＮＡＫ生成部３４１がＡＣＫ（Acknowledgement）を生成する。ＡＣＫ／ＮＡＫ生成部３４１で生成されたＡＣＫ／ＮＡＫ信号は、制御情報符号化・変調部３１９に入力され、Ｒ−ＡＣＫＣＨ（Reverse Link Acknowledgement Channel）で基地局１０に送信される。
【０１２０】
図１６のシーケンス図では、端末３０が、ＳＱ１０１で受信したデータの復号に失敗したため、基地局１０にＮＡＫ（Negative Acknowledgement）を送信（ＳＱ１０２）している。上記ＮＡＫは、基地局１０のベースバンド受信部１３において、ホップポートデマッピング部１３４から制御情報復調・復号部１３９に入力され、制御情報復調・復号部１３９から下りリンク制御部１２の再送制御部１２１に転送される。
【０１２１】
再送制御部１２１とレピテション部１１３によるＨＡＲＱの再送制御が実行され、基地局１０から端末３０に、下りリンクデータチャネルＦ−ＤＣＨで再送データが送信され（ＳＱ１０３）、端末３０で再送データの受信に成功した場合は、ＡＣＫ／ＮＡＫ生成部３４１で生成したＡＣＫ（Acknowledgement）が、Ｒ−ＡＣＫＣＨで基地局１０に送信される（ＳＱ１０４）。基地局１０が端末３０からＡＣＫ応答を受信すると、基地局１０から端末３０へのデータ送信が一旦終了し、制御情報復調・復号部１３９からサブバンド管理部１５に完了信号が送信される。この時、サブバンド管理部１５は、チャネルツリー構成情報テーブル１８０において、端末管理テーブル２００が示す端末３０の割り当てノードＩＤの下りリンクのステータスを空き状態に戻す。
【０１２２】
図１７は、端末３０から基地局１０に向かう上りリンクでのデータ通信の１例を示すシーケンス図である。
端末３０は、送信データが発生すると、上りリンク要求チャネル（Ｒ−ＲＥＱＣＨ：Reverse Link Request Channel）で、基地局１０にサブキャリアの割当て要求を送信する（ＳＱ２０１）。サブキャリアの割当て要求は、主制御部からの要求に応じて、制御情報符号化・変調部３１９が生成する。端末３０から送信されたサブキャリア割当て要求は、基地局１０で受信され、ベースバンド受信部１３において、ホップポートデマッピング部１３４から制御情報復調・復号部１３９に入力され、制御情報復調・復号部１３９からノードアサイン部１４５に転送される。
【０１２３】
ノードアサイン部１４５は、メモリ１８の端末管理テーブル２００から、サブキャリア割当て要求元の端末ＩＤと対応する割当てサブバンド２０３を検索し、チャネルツリー構成情報テーブル１８０を参照して、上記割当てサブバンド２０３と対応する論理サブキャリアの中から、上りリンクで上記サブキャリア割当て要求が示す要求帯域に見合った空き状態の論理サブキャリア（ベースノードＩＤ）を選択し、端末に通知すべき上位ノードＩＤを決定して、ＲＬＡＢ生成部１４４に通知する。この後、ノードアサイン部１２４は、チャネルツリー構成情報テーブル１８０において、上記選択されたベースノードＩＤの上りリンクのステータス１８２を使用状態に書き替え、上記上位ノードＩＤを端末管理テーブル２００に割り当てノードＩＤ２０４として記憶する。
【０１２４】
ＲＬＡＢ生成部１４４は、ノードアサイン部１４５が決定したノードＩＤを含むＲＬＡＢを生成し、制御情報符号化・変調部１１９に出力する。制御情報符号化・変調部１１９は、上記ＲＬＡＢを符号化し、Ｆ−ＳＣＣＨ（Forward Link Shared Control Channel）の送信信号としてホップポートマッピング部１１５に出力する。これによって、ノードＩＤを含むＲＬＡＢが、Ｆ−ＳＣＣＨ（Forward Link Shared Control Channel）で端末３０に送信される（ＳＱ２０２）。
【０１２５】
上記ＲＬＡＢは、端末３０で受信され、ベースバンド受信部３３のホップポートデマッピング部３３４から制御情報復調・復号部３３９に渡され、制御情報復調・復号部３３９から、上りリンク制御部３２のＲＬＡＢ取得部３２２に入力される。ＲＬＡＢ取得部３２２は、受信したＲＬＡＢからノードＩＤを抽出し、ノードＩＤをノード指定部３２４に通知すると共に、主制御部にデータ送信を許可する。ノード指定部３２４は、上記ノードＩＤをホップポートマッピング部３１５に通知する。
【０１２６】
ここでは、ホップポートマッピング部３１５が、チャネルツリー情報を保持しており、ノード指定部３２４からノードＩＤを通知された時、通知されたノードＩＤをチャネルツリー情報に従って複数のベースノードＩＤに変換し、これらのベースノードＩＤに対応するホップポートブロックに送信データをマッピングする場合を想定している。もし、ホップポートマッピング部３１５がチャネルツリー情報を保持していない場合は、ノード指定部３２４が、メモリ３８０に保持されたチャネルツリー構成情報に従って、ノードＩＤをベースノードＩＤに変換し、ベースノードＩＤをホップポートマッピング部３１５に通知するようにすればよい。
【０１２７】
これによって、主制御部から出力された送信データが、符号化部３１２、レピテション部３１３、変調部３１４を介してホップポートマッピング部３１５に入力され、ホップポートマッピング部３１５が、送信データを基地局指定のホップポートにマッピングすることになる。
【０１２８】
上記送信データは、パーミュテーション部３１６で、予めサブバンドＩＤで指定されたサブバンド内のサブキャリアにマッピングされ、上りリンクＯＦＤＭデータチャネル（Ｒ−ＯＤＣＨ：Reverse Link OFDM Data Channel）の送信データとして、基地局１０に送信される（ＳＱ２０３）。
【０１２９】
基地局１０は、端末３０がＲ−ＯＤＣＨで送信したデータを予めノードＩＤで指定したサブキャリアで受信する。基地局１０では、上りリンク制御部１４のノードアサイン部１４５が、Ｒ−ＯＤＣＨのデータ受信タイミングで、メモリ１８が示す端末３０の割当てノードＩＤ２０４をホップポートデマッピング部１３４に通知する。これによって、ホップポートデマッピング部１３４が、端末３０からの送信データをノードＩＤ２０４で指定されたホップポートから抽出し、復調部１３５−１〜１３５−ｎのうちの１つに出力する。
【０１３０】
基地局１０のベースバンド受信部１３には、端末３０と同様、ＨＡＲＱによる再送制御が適用されている。図１７のシーケンスでは、ＳＱ２０３の受信データについて行ったＣＲＣ判定の結果、基地局１０から端末３０に、上りリンクＡＣＫチャネル（Ｆ−ＡＣＫＣＨ：Forward Link Acknowledgement Channel）でＮＡＫが送信され（ＳＱ２０４）、端末３０が、Ｒ−ＯＤＣＨでデータを再送し（ＳＱ２０５）、基地局１０が、ＳＱ２０５で受信したデータに対して、端末３０にＦ−ＡＣＫＣＨでＡＣＫを送信（ＳＱ２０６）した場合を示している。
【０１３１】
ＳＱ２０４とＳＱ２０６における基地局１０の動作は、図１６で説明したＳＱ１０２、ＳＱ１０４における端末の動作と類似しており、ＳＱ２０５における端末３０の動作は、図１６で説明したＳＱ１０３における基地局の動作と類似しているため、図４、図５を参照した詳細な説明は省略する。
【０１３２】
図１８は、ノードＩＤを通知するために基地局１０から端末３０に送信されるＦＬＡＢとＲＬＡＢのフォーマットの１例を示す。
ＦＬＡＢとＲＬＡＢは、サブキャリアの割当て期間を示すPersistentフィールド７０１と、割当てサブキャリアを特定するノードＩＤが設定されるNodeIDフィールド７０２と、変調次数や誤り訂正符号化率を示すパケットフォーマット情報を含むPF（Packet Format）フィールド７０３と、送信ダイバーシチや空間多重機能など使用に関する情報を示すTD（Transmit Diversity）フィールド７０４と、ＨＡＲＱ再送制御における再送周期を示すHARQフィールド３０５とからなる。ＦＬＡＢとＲＬＡＢは、更に、オプションフィールドとして、Extended Transmissionモードを使用するか否かを示すExtended Txフィールド７０６と、Supplemental Transmissionモードを使用するか否かを示すSupplementalフィールド７０７を含む。
【０１３３】
本発明のセルラ無線通信システムでは、図１１で説明したように、基地局１０が、端末３０の適応周波数帯域に応じて、データ送受信で使用すべき１個または複数個のサブバンドを予め端末３０に指定しておき、図１６、図１７で説明したように、データ送受信の都度、基地局１０が、上記指定サブバンドの範囲内で、要求帯域に応じたホップポート群を端末に割当て、割当てホップポート群を示すノードＩＤを端末３０に通知している。
【０１３４】
図１５に示した例では、端末ＡＴ１は、サブバンドＳＢ０を適応周波数帯域としており、チャネルツリー上でノードＩＤが「３」のノードを頂点とする４個のベースノード（ノードＩＤ＝１５〜１８）が割当て可能となっている。従って、基地局１０が、例えば、ノードＩＤ「７」を端末ＡＴ１に通知した場合、サブバンドＳＢ０には、ノードＩＤが「１５」、「１６」のベースノードと対応する２つのホップポートブロックがパーミュテーションされ、ブロックＢ１、Ｂ３で示すように、１６（＝８×２）物理サブキャリアを使用したデータ送受信が可能となる。もし、ノードＩＤ「３」が割り当てられた場合、端末ＡＴ１は、サブバンドＳＢ０の全帯域となる３２（＝８×４）物理サブキャリアを使用したデータ送受信が可能となる。
【０１３５】
端末ＡＴ２は、サブバンドＳＢ２とＳＢ３を適応周波数帯域としているため、ノードＩＤが「２」のノードを頂点とする８個のベースノード（ノードＩＤ＝２３〜３０）が割当て可能となっている。従って、基地局１０が、例えば、ノードＩＤ「６」を端末ＡＴ２に通知した場合、サブバンドＳＢ３に、ノードＩＤ＝「２７」、「２８」、「２９」、「３０」のベースノードと対応する４つのホップポートブロックがパーミュテーションされ、ブロックＢ１２〜Ｂ１５で示すように、３２（＝８×４）物理サブキャリアを使用したデータ送受信が可能となる。
【０１３６】
ノードＩＤの選択は、チャネルツリー構成情報テーブルにおける論理キャリア（ホップポート）の空き状況に依存しているため、端末ＡＴ２との通信に必要となる３２物理サブキャリアの要求帯域に対して、基地局１０が、例えば、ノードＩＤ＝「２５」〜「２８」の４個のベースノードを割り当ててもよい。この場合、端末ＡＴ２は、サブバンドＳＢ２内の２つのブロックＢ９、Ｂ１０と、サブバンドＳＢ３内の２つのブロックＢ１３、Ｂ１５に含まれる３２（＝８×４）物理サブキャリアを使用することになる。
【０１３７】
端末ＡＴ３は、基地局１０の全周波数帯域であるサブバンドＳＢ０〜ＳＢ３に適応しているため、基地局１０は、任意の空きベースノードを指定できる。図１５の例では、端末ＡＴ３の要求帯域が３２（＝８×４）物理サブキャリアのとき、ノードＩＤ＝４を割当て、ベースノードＩＤ＝「１９」、「２０」、「２１」、「２２」と対応する４つのホップポートブロックをサブバンドＳＢ１内のブロックＢ４〜Ｂ７にパーミュテーションするようにしている。端末ＡＴ３の要求帯域が、例えば、１６（＝８×２）物理サブキャリの場合、基地局１０は、空き状態にあるノードＩＤ＝「８」、「９」、「１０」、「１１」、「１２」のうちの何れかを端末ＡＴ３に割り当てることができる。
【０１３８】
以上の実施例から明らかなように、本発明によれば、適応周波数帯域幅の異なる複数種類の端末を同時に収容した場合でも、基地局が、各端末に効率的にサブキャリアを割当てることが可能となる。また、基地局で使用可能な周波数帯域を複数のサブバンドに分割し、サブバンド毎の負荷を考慮して、各端末への使用サブバンドの割り当てと、ホップポートの割当てを行うことによって、無線周波数帯域でトラヒック負荷を分散することが可能となる。
【図面の簡単な説明】
【０１３９】
【図１】本発明が適用されるＯＦＤＭＡセルラ無線通信システムの概略的な構成を示す図。
【図２】従来のＯＦＤＭＡセルラ無線通信システムに適用されるチャネルツリーと、ホップポートから物理サブキャリアへのパーミュテーションを説明するため図。
【図３】本発明のＯＦＤＭＡセルラ無線通信システムに適用されるチャネルツリーと、ホップポートから物理サブキャリアへのパーミュテーションを説明するため図。
【図４】本発明のＯＦＤＭＡセルラ無線通信システムに使用される基地局１０の無線送受信部の１実施例を示す図。
【図５】本発明のＯＦＤＭＡ無線通信システムに適用される端末３０の１実施例を示す図。
【図６】基地局１０のサブバンド管理部１５が参照するメモリ１８の内容を示す図。
【図７】メモリ１８に形成されるチャネルツリー構成情報テーブル１８０の１例を模式的に示した図。
【図８】メモリ１８に形成されるサブバンド管理テーブル１９０の１例を示す図。
【図９】メモリ１８に形成される端末管理テーブル２００の１例を示す図。
【図１０】端末３０のサブバンド管理部３５が管理するメモリ３８０の内容を示す図。
【図１１】本発明のＯＦＤＭＡ無線通信システムにおいて、データ通信に先立って、基地局１０と端末３０との間の実行されるサブバンド情報の交信シーケンスを示す図。
【図１２】基地局１０から各端末３０に送信されるプリアンブルのフォーマットの１例を示す図。
【図１３】プリアンブルのＦ−ＰＢＣＣＨ４１で送信されるＳｙｓｔｅｍＩｎｆｏブロック４１０のフォーマットの１例を示す図。
【図１４】プリアンブルのＦ−ＳＢＣＣＨ４２で送信されるＱｕｉｃｋＣｈａｎｎｅｌＩｎｆｏブロック４２０のフォーマットを１例を示す図。
【図１５】適応可能周波数帯域が異なる３種類の端末に対するサブバンドＩＤの割当て結果の１例を示す図。
【図１６】本発明のＯＦＤＭＡ無線通信システムにおいて、基地局１０から端末３０に向かう下りリンクにおけるデータ通信の１例を示すシーケンス図。
【図１７】本発明のＯＦＤＭＡ無線通信システムにおいて、端末３０から基地局１０に向かう上りリンクにおけるデータ通信の１例を示すシーケンス図。
【図１８】ノードＩＤを通知するために基地局１０から端末３０に送信されるＦＬＡＢとＲＬＡＢのフォーマットの１例を示す図。
【符号の説明】
【０１４０】
１０：基地局、２０：基地局制御装置、３０：端末、
５０：チャネルツリー、５１：ホップポート、５２：物理サブキャリア、５３：パーミュテーション、ＳＢ：サブバンド、ＧＴ：グローバルツリー、ＬＴ：ローカルツリー、
１１、３１：ベースバンド送信部、１２、３４：下り制御部、１３、３３：ベースバンド受信部、１４、３２：上りリンク制御部、１５、３５：サブバンド管理部、１６：報知情報生成部、１７、３７：無線送受信回路、１９、３９：アンテナ。
【図１】
2010041581.tif 000003
【図２】
2010041581.tif 000004
【図３】
2010041581.tif 000005
【図４】
2010041581.tif 000006
【図５】
2010041581.tif 000007
【図６】
2010041581.tif 000008
【図７】
2010041581.tif 000009
【図８】
2010041581.tif 000010
【図９】
2010041581.tif 000011
【図１０】
2010041581.tif 000012
【図１１】
2010041581.tif 000013
【図１２】
2010041581.tif 000014
【図１３】
2010041581.tif 000015
【図１４】
2010041581.tif 000016
【図１５】
2010041581.tif 000017
【図１６】
2010041581.tif 000018
【図１７】
2010041581.tif 000019
【図１８】
2010041581.tif 000020